(57)【特許請求の範囲】
【請求項１】
記録ヘッドを着脱自在に搭載して移動するキャリッジと、前記記録ヘッドへインクを供給するためのインク供給部材と、前記キャリッジに配され、前記インク供給部材が前記記録ヘッドと連通する連通位置と前記インク供給部材が前記記録ヘッドと連通しない第１の離間位置とに移動可能な連通部材と、該連通部材を前記連通位置と前記第１の離間位置とに移動させる第１の操作部材と、前記記録ヘッドを前記キャリッジに固定する第１の位置と前記記録ヘッドを前記キャリッジに着脱可能な第２の位置とに移動する第２の操作部材と、を備えるインクジェット記録装置において、
前記第２の操作部材と前記連通部材を連結し、前記第２の操作部材が前記第１の位置から前記第２の位置へ移動したときに前記連通部材を前記第１の離間位置から当該第１の離間位置よりも前記連通位置から離れた第２の離間位置へ移動させる連結部材を備え、
前記第１の操作部材は前記連通部材が前記第１の離間位置から前記第２の離間位置へ移動するのに応じて移動し、前記連通部材が前記第２の離間位置に移動したときに前記第１の操作部材を覆うカバーをさらに備えることを特徴とするインクジェット記録装置。
【請求項２】
前記連通部材が前記連通位置から前記第１の離間位置まで移動する距離に比べて、前記第１の離間位置から前記第２の離間位置まで移動する距離のほうが大きいことを特徴とする請求項１に記載のインクジェット記録装置。
【請求項３】
前記第１の操作部材及び前記第２の操作部材は回転移動し、前記連通部材は前記連通位置と前記第２の離間位置の間を直線移動することを特徴とする請求項１または２に記載のインクジェット記録装置。
【請求項４】
前記記録ヘッドへ供給されるインクを貯留するインクタンクをさらに備え、前記インク供給部材は前記インクタンクから前記記録ヘッドへインクを供給するチューブを有することを特徴とする請求項１ないし３のいずれか１項に記載のインクジェット記録装置。
【発明の詳細な説明】
【技術分野】
【０００１】
本発明は、インクジェット記録装置に関し、詳しくは、記録ヘッドを搭載して移動可能なキャリッジに対する記録ヘッドの着脱と、記録ヘッドとインク供給路相互の着脱をそれぞれ対応する操作レバーによって行うインクジェット記録装置に関するものである。
【背景技術】
【０００２】
この種の着脱機構では、例えば、記録ヘッドと、記録ヘッドへインクを供給するためのインク供給路と、を相互に着脱する構成として、インク供給路側のニードルパイプを記録ヘッド側の、ゴム等で成型されたシール接続部材に挿入するものがある。そして、このようなニードルパイプをシール接続部材に挿入して接続を行うには、比較的大きな力が必要となる場合が多い。従って、上記着脱の構成では、操作レバー等の梃子を利用した部材を用い上記着脱のための操作力を小さくすることが行われている。また、これとは別に、記録ヘッドをキャリッジに対して着脱するための操作レバーも設けられることが多い。
【０００３】
これらのレバーの操作は、通常別々に行うように構成されているため、操作者は複数のレバーの操作を行う。このため、操作者がレバーの操作順序を誤るといった誤操作を行う可能性がある。このような誤操作があると、インク供給系の適確な接続ができずインクの漏洩を生じさせて記録ヘッドがインク不吐出になったり、インク供給系のジョイント構造や記録ヘッドの構成部品を損傷させたりすることがある。
【０００４】
これに対し、特許文献１には、記録ヘッドをキャリッジに対して着脱するためのヘッドセットレバーとインク供給路と記録ヘッドとの着脱を行うためのニードル移動レバーの２つのレバーを設けた構成において、誤った操作が途中で阻止される構成が記載されている。具体的には、ヘッドセットレバーの操作によって記録ヘッドがキャリッジに装着されないうちに誤ってニードル移動レバーを操作すると、このニードル移動レバーによって動作する部分がヘッドセットレバーと干渉してそれ以上の動作を不能とするものである。この構成により、操作レバーの誤操作がその途中で阻止されると共に、操作者にレバーの誤操作を認識させることが可能となる。
【先行技術文献】
【特許文献】
【０００５】
【特許文献１】特開２００２−２３４１７９号公報
【発明の概要】
【発明が解決しようとする課題】
【０００６】
しかしながら、特許文献１に記載の構成では、２つの操作レバーのうち、どちらのレバーからでも操作が可能である。このため、操作者は誤った順序でレバーを操作させる可能性がある。この場合、操作の途中で２つのレバーが相互に干渉することによってその操作が阻止されるものの、例えば、操作者が過大な力を作用させて操作を行っているような場合には、上記相互干渉の部分を基点として無理な力が働き装置の一部を損傷させるようなことがある。
【０００７】
本発明は、上述した従来の問題点に鑑みてなされたものであり、その目的は、操作レバーなど操作部が複数設けられている場合にこれら操作部を常に正しい順序で操作することを可能とするインクジェット記録装置を提供することである。
【課題を解決するための手段】
【０００８】
そのために本発明では、記録ヘッドを着脱自在に搭載して移動するキャリッジと、前記記録ヘッドへインクを供給するためのインク供給部材と、前記キャリッジに配され、前記インク供給部材が前記記録ヘッドと連通する連通位置と前記インク供給部材が前記記録ヘッドと連通しない第１の離間位置とに移動可能な連通部材と、該連通部材を前記連通位置と前記第１の離間位置とに移動させる第１の操作部材と、前記記録ヘッドを前記キャリッジに固定する第１の位置と前記記録ヘッドを前記キャリッジに着脱可能な第２の位置とに移動する第２の操作部材と、を備えるインクジェット記録装置において、前記第２の操作部材と前記連通部材を連結し、前記第２の操作部材が前記第１の位置から前記第２の位置へ移動したときに前記連通部材を前記第１の離間位置から当該第１の離間位置よりも前記連通位置から離れた第２の離間位置へ移動させる連結部材を備え、前記第１の操作部材は前記連通部材が前記第１の離間位置から前記第２の離間位置へ移動するのに応じて移動し、前記連通部材が前記第２の離間位置に移動したときに前記第１の操作部材を覆うカバーをさらに備えることを特徴とする。
【発明の効果】
【０００９】
以上の構成によれば、操作レバーなど操作部が複数設けられている場合にこれら操作部を常に正しい順序で操作することを可能となる。
【図面の簡単な説明】
【００１０】
【図１】本発明の一実施形態に係るインクジェット記録装置の内部構成を示す斜視図である。
【図２】図１に示したインクジェット記録装置を、外装を構成するメインケースで覆った状態を示す斜視図である。
【図３】図１に示したキャリッジ部に着脱自在に搭載されるカートリッジタイプの記録ヘッド部を示す斜視図である。
【図４】上記キャリッジ部の詳細な構成を示す斜視図である。
【図５】同じく上記キャリッジ部の詳細な構成を示す斜視図である。
【図６】同じく上記キャリッジ部の詳細な構成を示す斜視図である。
【図７】本発明に実施形態に関し、記録ヘッド部がキャリッジに装着固定され、被供給口挿脱部が連結された状態を示す斜視図である。
【図８】同じく、記録ヘッド部は装着されているが、被供給口挿脱部は切離された状態を示す斜視図である。
【図９】同じく、記録ヘッド部が取り外され、被供給口挿脱部は記録ヘッド部から切離された状態を示す斜視図である。
【図１０】本発明に実施形態に係る被供給口挿脱部を示す斜視図である。
【図１１】上記被供給口挿脱部に設けられたニードル挿脱レバーを模式的に示す断面図である。
【発明を実施するための形態】
【００１１】
以下、図面を参照して本発明の実施形態を詳細に説明する。
【００１２】
図１は、本発明の一実施形態に係るインクジェット記録装置を示す斜視図である。本実施形態の記録装置は、大きく分けて、給紙部２０、記録媒体搬送部（用紙搬送部）３０、排紙部４０、記録ヘッド部１００を搭載するキャリッジ部７０、記録ヘッド回復部（回復ユニット）５０および供給タンクユニット６０を有して構成されている。
【００１３】
ホスト装置（不図示）から送られて来た記録データは、制御基板５に構成される記録装置制御部（不図示）の所定の記憶部に一時的に格納され、同制御部は、記録開始指令があると格納した記録データに基づいて記録動作が開始する。記録が開始されると、先ず給紙動作が行われる。給紙部２０は自動給送部（ＡＳＦ：Ａｕｔｏｍａｔｉｃ  Ｓｈｅｅｔ  Ｆｅｅｄｅｒ）によって構成され、この自動給送部から記録動作ごとに記録媒体としての記録シートが１枚ずつ用紙搬送部３０に向けて給送される。そして、給送された記録シートは、用紙搬送部３０で所定改行量ずつ搬送される。
【００１４】
用紙搬送部上方にはキャリッジ部７０が構成されている。キャリッジ部７０は、主に、記録ヘッドと、この記録ヘッドを搭載し記録シートの搬送方向と交叉（通常直交）する方向に走査（移動）するキャリッジと、を備えて構成される。キャリッジの移動は、装置のシャーシに固定されたガイドシャフト１４とシャーシの上部に固定されたサポートレール１５とによって案内支持されている。このキャリッジは、キャリッジモータ１７とアイドラプーリ１８との間に張架されたキャリッジベルト１６を介してキャリッジモータ１７の駆動力が伝達されることにより、ガイドシャフト１４に沿って往復移動（走査）することができる。また、キャリッジには、流路連結機構としての被供給口挿脱部８００が装着され、この被供給口挿脱部を介して可撓性のチューブから成る供給チューブ６３０が記録ヘッドに連結されている。このインク供給チューブ６３０は、キャリッジの走査範囲全域で追従できるように這いまわされて供給タンクユニット６０に接続されている。
【００１５】
供給タンクユニット６０には、インク色ごとのメインタンク６１０が着脱可能に装着される。また、このメインタンク６１０に貯蔵されたインクを記録ヘッドへ移送するためのポンプ等で形成した供給ポンプユニット６４０が設けられている。この供給タンクユニット６０は、装置前面となる排紙口近傍に配設されている。以上の構成により、キャリッジ部７０の走査中においても、メインタンク６１０に貯蔵されているインクは、供給ポンプユニット６４０によってインク供給チューブ６３０を介して記録ヘッドへ供給することが可能となる。
【００１６】
キャリッジ上の基板はフレキシブルフラットケーブル（ＦＦＣ）７３３を介して装置本体側の回路基板（制御回路）と電気的に結合されている。これにより、ＦＦＣ７３３を介してヘッド制御回路からの信号が記録ヘッドに伝達され、記録ヘッドから記録データに応じてインクを吐出することができる。また、記録ヘッドの走査方向と平行に張架されたコードストリップを、キャリッジに搭載されたＣＲエンコーダ（不図示）によって読み取ることにより、走査における記録ヘッドからの吐出タイミングを定めることができる。このようにして、１ライン分の記録が終了すると、用紙搬送部３０によって所定量だけ記録シートを搬送（紙送り）する。この動作を繰り返して実施することにより、記録シート全面にわたって記録を行った後、用紙排紙部４０で記録シートを排出して記録が終了する。
【００１７】
図２は、図１に示したインクジェット記録装置を、ＡＳＦ２０を除いて、外装を構成するメインケース９１０で覆った状態を示す斜視図である。メインケース９１０は樹脂からなり、複数の部品を組み合わせて構成されていてもよいし、一部品で構成されていてもよい。メインケース９１０の上面には、電源ボタン（不図示）と、主として、インクジェット記録装置に異常が発生した際にリセットを行うために用いられるリセットボタン（不図示）が設けられている。メインケース９１０の前面には、アクセスカバー（不図示）が開閉可能に設けられている。不図示のアクセスカバーを開くことによって、図２に示すように、メインケース９１０内の記録機構部の主要部分を露出させることができる。なお、インクジェット記録装置には、アクセスカバー（不図示）が開いたことを検知するカバー開閉検知手段が設けられており、これによって、アクセスカバー（不図示）が開いたことが検知される。メインケース９１０の開口部９１１には、切り欠き部９１２が形成されており、この切り欠き部９１２によって、後述されるようにニ−ドル挿脱レバーを操作するための空間が形成されている。
【００１８】
（各部の詳細の説明）
次に、以上説明したインクジェット記録装置におけるキャリッジ部や記録ヘッド部などの詳細について説明する。
【００１９】
＜記録ヘッド部＞
図３は、キャリッジ部７０に着脱自在に搭載されるカートリッジタイプの記録ヘッド部を示す斜視図である。本実施形態の記録ヘッド部１００は、シアン（Ｃ）、マゼンタ（Ｍ）、イエロー（Ｙ）、ブラック（Ｂｋ）、淡シアン（ＬＣ）、淡マゼンタ（ＬＭ）の６色のインクについてそれぞれの吐出口列を備えている。各吐出口列における複数の吐出口それぞれの内部には、インク吐出のエネルギーとして用いられる熱エネルギーを発生するヒータが設けられ、このヒータに記録信号に応じて電気パルスを印加することにより吐出口からインクが吐出される。
【００２０】
また、記録ヘッド部１００の内部には、インク色ごとにサブタンク（不図示）が設けられ、メインインクタンク６１０から記録ヘッド部１００へ送られる対応するインクを一時的に貯留する。このメインインクタンクからサブタンクへインクを供給するための供給チューブ６３０（図１）はインク供給口１０２において、記録ヘッド部１００に接続される。具体的には、供給口１０２は記録ヘッド部１００と一体化されて構成されている円筒状の突出部を有する。そして、この円筒状突出部は、それぞれ先端部に、被供給口挿脱部８００（図１）の被供給口を形成するニードルパイプが挿入できるようにそのニードルパイプの外径よりも大きい穴が形成されたものである。また、円筒状突出部の内側には、ゴムや軟質樹脂等で成形された円筒形状のシール接続部材１０５が嵌入されている。このシール接続部材１０５は、その中央には上記ニードルパイプの外径より小さい径の小孔が形成され、この小孔のニードルパイプを挿入する側にはテーパが設けられている。このようにインク供給口１０２にシール接続部材１０５を設けることにより、被供給口挿脱部８００がインク供給口１０２に接続される際には、ニードルパイプは、シール接続部材１０５の小孔を押し広げながら挿入される。これによって、ニードルパイプの外側面と小孔の内側面との面接触による密閉が確保される。
【００２１】
記録ヘッド部１００の本体部の左右両側壁の上面には、傾斜角をもって形成された傾斜面１０９や位置決め掛合部１０１が設けられている。これにより、記録ヘッド部１００をキャリッジに装着する際に、後述するヘッドセットレバーの回動に応じて記録ヘッド部１００をキャリッジ上の所定の装着位置に移動させて位置付けることができる。
【００２２】
＜キャリッジ＞
図４〜図６は、キャリッジ部７０の詳細な構成を示す斜視図であり、後述のヘッドセットレバー（第２操作部材）およびニ−ドル挿脱レバー（第１操作部材）の操作に応じた３つの状態を示している。
【００２３】
このうち、図６は、ヘッドセットレバー７５０の操作によって記録ヘッド部１００をキャリッジ７１０から取り外した状態を示している。キャリッジ部７０には、記録ヘッド部１００を記録ヘッド収容部に案内するキャリッジカバー７２０と、記録ヘッド部をキャリッジの所定位置に固定するためのヘッド固定部７４０を一体に形成したヘッドセットレバー７５０が設けられている。キャリッジ７１０の記録ヘッド収容部には、記録ヘッド部１００をその装着位置に位置決めするために位置決め突起部７１１が設けられている。これらに対応して記録ヘッド部１００には位置決め突起部７１１に係合する位置決め掛合部１０１がそれぞれ形成されている。また、ヘッド固定部７４０において、ヘッド固定カムホルダ７４１の一部にばね（不図示）により付勢されたヘッド固定カム７４４が設けられている。このヘッド固定カム７４４は、記録ヘッド部１００に形成された傾斜面１０９に当接係合して記録ヘッド部１００を所定の装着位置に案内して固定する方向に力を加える。また、ヘッド固定カムホルダ７４１は、その両端部に設けられた回転軸７４２を中心としてキャリッジ７１０に対して揺動できるように構成されている。また、このヘッド固定カムホルダ７４１には、後述するヘッドセットレバー７５０の案内溝７５３に係合して、ヘッドセットレバー７５０の開閉に連動してヘッド固定部７４０を揺動させるための力を受ける作用ボス７４３が設けられている。
【００２４】
ヘッドセットレバー７５０は、キャリッジ７１０に設けられたレバー回転軸７１３を中心として回動できるように構成されている。このヘッドセットレバー７５０の案内溝７５３と上述のヘッド固定カムホルダ７４１のボス７４３が係合している。これにより、ヘッドセットレバー７５０の開閉操作に応じて、ヘッド固定カムホルダ７４１が揺動し、ヘッド固定部７４０の開閉動作を行うことができる。ヘッドセットレバー７５０を軸７１３を中心に時計方向に回動させることにより、記録ヘッド部１００をキャリッジ７１０上の所定の装着位置へ案内して移動させることができる。
【００２５】
ヘッドセットレバー７５０の一端には、被供給口挿脱部８００にリンク部材７８０を介して連結するレバー側リンク連結部７５３が設けられている。リンク部材７８０の一端側にはレバー側リンク連結部７５５と係合する連結丸穴部７８１が設けられている。また、リンク部材７８０の連結丸穴部７８１から離れたもう一端側には、ニードル挿脱レバー８３０に連動して、被供給口挿脱部８００を並進移動させるリンク連結部８２５と係合する連結長穴部７８２が設けられている。なお、連結長穴７８２は、後述するニードル挿脱動作時における被供給口挿脱部８００の並進移動によって、リンク部材７８０を介してヘッドセットレバー７５０を揺動させることが無いような不感帯域となる長穴が形成されている。以上の構成により、ヘッドセットレバー７５０の開閉に伴い、リンク部材７８０がレバー側リンク連結部７５３を中心に動作する。このとき、リンク部材の動作によって連結長穴部７８２が動作して長穴端部７８２ｂが被供給側連結部と当接して被供給口側リンク連結部８２５により接続された被供給口挿脱部８００が連動して移動することができる。
【００２６】
なお、レバー側リンク連結部７５３は、ヘッドセットレバー７５０の揺動に伴って、レバー側リンク連結部７５３からリンク部材を介した被供給口挿脱部を大きな軌跡で揺動するように構成されている。ヘッドセットレバー７５０の操作部７５１は、その操作力を小さくするように、回転軸７５５までの距離がより離れた個所に設けられている。すなわち、ヘッドセットレバーを比較的小さな力で操作しても、被供給口挿脱部８００が大きく移動するよう構成されている。
【００２７】
キャリッジカバー７２０の両側には、被供給口挿脱部８００を搭載し、左右方向にスライド可能ように案内する一対のガイド部材で構成された被供給口スライド部７２１が設けられている。これによって、被供給口挿脱部はキャリッジカバー７２０に設けられた一対のガイド部材で並進運動するように規制案内される。この結果、ヘッドセットレバー７５０の操作による揺動ないし回動に連動して、被供給口挿脱部８００は並進運動を行うことができる。また上述のようにヘッドセットレバー操作部の揺動に伴って、被供給口挿脱部８００も大きく移動することができる。つまり、被供給口挿脱部８００の並進移動量が大きくなるよう構成されている。本実施形態では、ヘッドセットレバーをおおよそ１００度回動させることによって、被供給口挿脱部８００がおおよそ３０ｍｍ程度移動させることができる。なお、ヘッドセットレバーの回動角度や、被供給口挿脱部の移動量はこの値に限るものではないことはもちろんである。
【００２８】
キャリッジカバー７２０の被供給口スライド部７２１の近傍には、被供給口挿脱部８００に設けられたニ−ドル挿脱レバーの外周カムと摺擦する押し出し案内部７２２とニ−ドル挿脱レバー８３０の内周カム面をガイドする引き込み案内部７２３とが設けられている。
【００２９】
＜被供給口挿脱部＞
被供給口挿脱部８００は、キャリッジ部７０に設けられ、記録ヘッド部１００に対する挿脱動作によって供給チューブ８２２による流路を記録ヘッド部１００内の流路に対して連結および分離させる機能を果たすものである。図１０は、被供給口挿脱部８００を示す斜視図であり、図１１は被供給口挿脱部８００に設けられたニードル挿脱レバー８３０を模式的に示す断面図である。
【００３０】
被供給口挿脱部８００は、図１０に示すように、記録ヘッド部１００のインク供給口１０２のシール接続部材１０５に挿入されるニードルパイプ８１１を備えている。ニードルパイプ８１１は中空の管状のものであり、記録ヘッド部１００のシール接続部材１０５に対応して配設されている。また、被供給口挿脱部８００の他方の面には、インク色ごとにメインインクタンクと接続するインク供給チューブ６３０が連結された複数のチューブ連結部材８１６が配設される。そして、これらの連結部材８１６とニードルパイプ８１１は被供給口挿脱部の本体内部に設けられたインク供給路（不図示）を介して連通している。
【００３１】
また、被供給口挿脱部８００には、記録ヘッド部１００のインク供給口側の複数（２本）のガイド用ボス穴１０６に対応した複数のガイド用ボス８２１が設けられている。これにより、ニードルパイプ８１１をインク供給口１０２のシール接続部材１０５に挿入する際に、ガイド用ボス穴１０６に沿って被供給口挿脱部８００の移動が案内される。被供給口挿脱部８００の左右には、キャリッジカバー２の、被供給口スライドガイド部７２１に設けられた一対のガイド体に沿って左右方向に移動しうるように、ガイド体に係合するスライド部材８２０が設けられる。そして、スライド部材８２０にはそれぞれ内方へ突出する摺動部８２１が設けられている。
【００３２】
スライド部材８２０には、操作者が被供給口挿脱部の挿脱動作のために操作する操作部を備えたニ−ドル挿脱レバー８３０が、レバー回転軸８２２を中心にして回動可能に軸支されている。このニ−ドル挿脱レバー８３０には、上述したリンク部材７８０に設けられた連結長穴部７８２が回動自在に取り付けられる被供給口側リンク連結部８２５が構成されている。
【００３３】
ニードル挿脱レバー８３０を回動するように操作することによって、被供給口挿脱部８００のニードルパイプ８１１が記録ヘッド部１００のインク供給口１０２に対して挿脱され、メインインクタンクからのインク供給路の連通または切離を行うことができる。記録ヘッド部１００のインク供給口１０２と被供給口挿脱部８００との接続を行うには、ニードルパイプ８１１をゴム等で成型されたシール接続部材１０５に挿入することで流路のシール性を確保する。このため、このニードルパイプ８１１をシール接続部材１０５に挿入するに際して大きな力が必要となる場合が多い。このため、図１１に示すように、ニ−ドル挿脱レバー８３０の操作部８３１と回転軸８２２との距離Ｌ１は、キャリッジカバーの各案内軸７２２、７２３と作用する内周カム面までの距離Ｌ２および外周カム面との距離Ｌ３との距離の比率大きく設定する。これにより、被供給口挿脱部８００の移動が、ニードルパイプ８１１がシール接続部材１０５から抜けるのに十分な量のみで移動するようにしている。この結果、操作者は比較的小さな操作力を作用させるだけで、ニードルパイプ８１１をシール接続部材１０５から挿脱することができる。本実施形態では、Ｌ１とＬ２またはＬ３との比率がおよそ７〜１０：１となるよう構成されており、ニ−ドル挿脱レバー８３０をおおよそ９０度ほど回動することによって、被供給口挿脱部８００のスライド量はおよそ７ｍｍ程度となるように構成されている。このように、ニ−ドル挿脱レバー８３０の操作による被供給口挿脱部８００のスライド量が、前述のヘッドセットレバー７５０の開閉操作に伴うスライド量よりも小さくなるよう構成されている。
【００３４】
（操作時の手順）
次に、記録ヘッド部１００をキャリッジ７１０から取り外す際の操作について、主に、図７〜図９を参照して説明する。なお、この操作は、記録ヘッドが未装着の場合でも、同様に記録ヘッド部１００の装着前動作としても行われる。
【００３５】
先ず、操作者が所定の操作を行うことにより、インクジェット記録装置を、インクジェットカートリッジ交換モードへ移行させる。本実施形態では、インクジェット記録装置の制御部は、リセットボタン（不図示）を一定時間（例えば３秒）以上押し続けることによって、インクジェットカートリッジ交換モードに移行させることできる。なお、インクジェットカートリッジ交換モードに移行させるためのボタンを別に設け、このボタンの操作によりインクジェットカートリッジ交換モードに移行するようにしてもよい。インクジェット記録装置がインクジェットカートリッジ交換モードに移行すると、図２に示したように、キャリッジ部７０は、その移動範囲のほぼ中間部である、インクジェットカートリッジ交換位置に移動される。
【００３６】
図７は、記録ヘッド部１００がキャリッジに装着固定され、被供給口挿脱部８００が連結された状態を示す斜視図である。図８は、記録ヘッド部１００は装着されているが、被供給口挿脱部８００は切離された状態を示す斜視図である。また、図９は、記録ヘッド部１００が取り外され、被供給口挿脱部８００は記録ヘッド部１００から切離された状態を示す斜視図である。
【００３７】
（開操作の手順）
＜ニ−ドル挿脱レバーの操作＞
図７〜図９に示すように記録ヘッド着脱位置において、メインケース９１の開口部９１１には、切り欠き部９１２が形成されており、この切り欠き部９１２によってニ−ドル挿脱レバー８３０を操作できるような空間が形成されている。
【００３８】
図４および図７に示すように、この位置では、操作者は記録ヘッド部１００が装着された状態から、図４の矢印Ａ１方向に、第１のレバーであるニ−ドル挿脱レバー８３０を、回転軸８２２を支点にして操作して回動させることができる。ここで、ニ−ドル挿脱レバー８３０を回動操作すると、ニ−ドル挿脱レバー８３０の外周カム面８３２がキャリッジカバー７２０上の押し出し案内軸７２２に摺擦されながら押され、被供給口挿脱部８００を、図５の矢印Ｂ１方向へ並進移動（第１の移動）させる。このとき、記録ヘッドのインク供給口に設けられたシール接続部からニードルパイプが切離されて移動し抜脱することにより、インク供給路の連結が切り離される。（図５および図８）。
【００３９】
上述したように、このときの被供給口挿脱部８００のスライド移動量は、ニードルパイプ８１１がシール接続部１０５から離間するだけの量となるよう構成されている。また、被供給口挿脱部８００がスライド移動している間は、スライド部８２０上の被供給口側リンク連結部７８０はリンク７８０に設けられた連結長穴部７８０内を移動できるように構成されている。これにより、ニ−ドル挿脱レバー８３０の操作を行っても、リンク部材７８０の不感帯部としての連結長穴部７８０内を移動するため、ヘッドセットレバー７５０を揺動させる力は生じない。また、図６に示すように、ニ−ドル挿脱レバー８３０の回動が終了した状態では、ニ−ドル挿脱レバー８３０のニードル挿脱レバー開口規制部８２５が、被供給口挿脱部８００に設けられた回転止めに当接して停止する。ニ−ドル挿脱レバー８３０が、上述した開とされた状態では、操作者が手を離してもニ−ドル挿脱レバー８３０の自重による回転モーメントによって、この姿勢が保持されるように構成されている。
【００４０】
＜ヘッドセットレバーの操作＞
操作者は、図５および図８に示す状態から、図５に示す矢印Ｃ１方向に第２のレバーであるヘッドセットレバー７５０を、回転軸７１３を支点にして回動させることができる。これにより、ヘッドセットレバー７５０の案内溝７５２に係合するヘッド固定カムホルダボス７４３に操作力が伝達され、ヘッド固定カム７４４を介したヘッド固定バネの押圧力を越えたところで、ヘッド固定部７４０による記録ヘッドの固定を開放することができる。この間のヘッドセットレバー７５０の回動に伴って、リンク７８０がレバー側リンク連結部７５３を中心に動作する。そのとき、リンク部材７８０は被供給口側リンク連結部８２５により接続された被供給口挿脱部８００を、矢印Ｂ１方向へさらに遠くへ並進移動（第２の移動）させる。すなわち、被供給口挿脱部８００は、キャリッジカバー７１０に設けられたガイド部７２１によりガイドされて、供給チューブの復元力Ｆに抗して記録ヘッド部１００から遠ざかる方向に移動する。
【００４１】
そして、ヘッドセットレバー７８０の回動操作が完了すると、これに連動したヘッド固定部７０がヘッド固定カムホルダ軸７４２を中心とする回動によって開かれて、ヘッドセットレバー７５０が完全に開状態とされた、図６および図９に示す状態となる。このとき、リンク７８０を介して接続された被供給口挿脱部８００の矢印Ｂ１方向へのスライド移動も終了する。このとき、被供給口挿脱部８００のニードルパイプ８１１は記録ヘッドから最も離れた状態となる。
【００４２】
ここで、図９に示すように、メインケース９１０の開口部９１１の上記スライド方向には、ケース壁９１３がメインケースと一体的に設けられている。これにより、上述したヘッドセットレバー７５０の回動操作によって、被供給口挿脱部８００を矢印Ｂ１方向（図５）へスライド移動した状態では、ニ−ドル挿脱レバー８３０の操作部８３１がケース壁９１３の下方に移動した状態となる。すなわち、このケース壁９１３の位置は、操作者がニ−ドル挿脱レバー８３０を操作できない位置、または、操作者がニ−ドル挿脱レバー８１１を回動させようとしてもニ−ドル挿脱レバー８３０が干渉して回動させることができない位置である。これにより、操作者は、ヘッドセットレバー７５０が開状態では、ニ−ドル挿脱レバー８３０のみを回動させることができない。このように、ヘッドセットレバー７５０が開状態にあるときに、被供給口挿脱部８００のインク供給口１０２への接続に用いられるニ−ドル挿脱レバー８３０の操作を規制する構造が設けられている。その結果、操作者が誤ってニ−ドル挿脱レバー８３０をヘッドセットレバー７５０よりも先に操作してしまうことがなくなる。この状態において、操作者は、記録ヘッド部１００をキャリッジ部７０から斜め上方に引き出すことで、記録装置から取り外すことが可能となる。
【００４３】
なお、図６および図９の状態では、ヘッドセットレバー７５０のレバー側リンク連結部７５３は、カバーの回転軸とジョイント−リンク連結部８２５とを結んだ線上の支点を越える構成となっている。ヘッドセットレバー７５０の開閉いずれの状態でも、被供給口挿脱部８００はチューブの復元力Ｆによって、記録ヘッドへ近づく方向（矢印Ｂ２）へ付勢されている。従って、図６に示すように支点を越えた状態では、チューブの復元力Ｆはリンク機構を介してヘッドセットレバー７５０のレバー側リンク連結部７５５を矢印Ｃ１方向へと付勢するトグル機構となり、ヘッドセットレバー７５０を開状態側へ押圧付勢することになる。以上により、ヘッドセットレバー７５０を開状態としたときに、キャリッジ部７０に特別な付勢部材等を設けることが無くても、ヘッドセットレバー７５０を開状態（図６ならびに図９）に付勢して安定保持できる。
【００４４】
（閉操作の手順）
次に、操作者が記録ヘッド部１００をキャリッジ７１０へ装着する場合について説明する。
【００４５】
先ず、図６および図９に示す状態で、操作者はキャリッジ部７０へ記録ヘッド部１００を装着する。続いて、図６に示す矢印Ｃ２方向に、ヘッドセットレバー７５０を回動操作する。このヘッドセットレバー７５０の回動に連動して、ヘッド固定部７４０がヘッド固定カムホルダ７４１の軸７４２を中心とする揺動によって記録ヘッド部を固定する動作を行う。このとき、ヘッド固定部７４０に設けられたヘッド固定カム７４４が記録ヘッド部１００に当接して、ヘッド固定カム７４４を介したヘッド固定バネの押圧力によって、記録ヘッド部１００をキャリッジ７１０に押圧して位置決め固定する。
【００４６】
同時に、ヘッドセットレバー７５０の回動に連動して、リンク部材７８０が移動する。すなわち、リンク部材７８０の連結長穴部が移動して被供給口側リンク連結部９５０と当接すると、被供給口挿脱部８００が矢印Ｂ２方向へと直線移動する。この移動において、被供給口挿脱部８００は、キャリッジカバーに設けられたガイド部７２１に規制案内され、記録ヘッド部１００に近づく方向に大きく移動する。これにより、ニードルパイプ８１１は、記録ヘッド部１００のシール接続部１０５の近傍まで移動する。
【００４７】
以上のヘッドセットレバー７５０の回動に連動した被供給口挿脱部８００の並進移動によって、メインケース９１０のケース壁９１３に隠れていたニ−ドル挿脱レバー８３０の操作部８３１が移動して開口部９１１の切り欠き部９１２の下方まで移動する。これにより、ヘッドセットレバーが閉状態になると、操作者が、ニ−ドル挿脱レバー８３０の操作が可能な状態となる（図５および図８）。
【００４８】
続いて、記録ヘッド部１００が装着固定された図５および図８の状態から、ニ−ドル挿脱レバー８３０を図５に示す矢印Ａ２方向に回動させる。これにより、ニ−ドル挿脱レバー８３０の内周カム面が８３３キャリッジカバー７２０上の引き込み案内軸７２３に作用しながら引き込まれ、被供給口挿脱部８００を矢印Ｂ２方向へ並進移動させる。この被供給口挿脱部８００がスライド移動している間は、スライド部８２０上の被供給口側リンク連結部８２５はリンク７８０に設けられた不感帯域である連結長穴部７８０Ｂ内を移動するよう構成されている。従って、ニ−ドル挿脱レバー８３０の操作によってヘッドセットレバー７５０がリンク７８０を介した回動が生じない。
【００４９】
ニ−ドル挿脱レバー８３０の操作によって被供給口挿脱部８００が記録ヘッド部１００の方向に進行していくと、被供給口挿脱部８００に設けられた位置決めガイド用ボス８２１が記録ヘッド部１００のガイド用ボス穴１０６に挿入されて直接案内が行われる。さらに、ニ−ドル挿脱レバー８３０の操作に連動した並進運動によって、ニードルパイプ８１１が記録ヘッド部１００に形成されたインク供給口１０２に挿入される。すなわち、ニードルパイプ８１１は、シール接続部材１０５の小孔を押し広げながら挿入され、ニードルパイプ８１１の外側面と小孔の内側面との面接触によりインク供給路としての密閉が確保される。この様に、被供給口挿脱部８００は記録ヘッド部１００に直接位置決めされてからニードルパイプ８１１が挿入されることになり、安定して確実な流路の連通が可能となる。
【００５０】
なお、図４のようにニ−ドル挿脱レバー８３０の回動が終了した状態では、ニ−ドル挿脱レバー８３０が、キャリッジ７１０に設けられた突起部に係合する。これにより、キャリッジ部７０の走査においてもニ−ドル挿脱レバー８３０の姿勢が保持される。以上のように、操作者は、順次、ニ−ドル挿脱レバー８３０およびヘッドセットレバー７５０の回動操作をさせることにより、記録ヘッドの位置決め固定および接続部の連結動作を完了させることができる。（図４および図７）
【００５１】
以上説明したように、本実施形態によれば、操作者が特に意識しなくても、正しい順序で２つの操作レバーを操作することができる。
【００５２】
なお、上述した実施形態では、記録ヘッドに供給チューブでインクを供給する場合を例に挙げて説明したが、本発明は、記録ヘッドに直接、タンクを装着する方法にも適用することができる。すなわち、キャリッジ部への記録ヘッドの固定を実施するレバーと、キャリッジ部上にてタンクに設けられた被供給口を、記録ヘッドのインク供給口へ挿入させる動作を実施するためのレバーと言った複数のレバーが構成された場合に、同様に適用することができる。
【００５３】
また、上述の実施形態では、キャリッジ部に１つの記録ヘッドを装着する場合を例に挙げて説明したが、本発明は、記録ヘッドの数に関わりなく自由に実施できる。例えば、１個以上の記録ヘッドを用いるインクジェット記録装置の他、異なる色のインクを使用する複数の記録ヘッドを用いるカラー記録用のインクジェット記録装置似て起用できる。あるいは、同一色彩で異なる濃度のインクを使用する複数の記録ヘッドを用いる階調記録用のインクジェット記録装置、さらには、これらを組み合わせたインクジェット記録装置の場合にも、同様に適用することができる。
【００５４】
さらに、本発明は、インクジェット記録装置の場合、例えば、ピエゾ素子等の電気機械変換体等を用いるインクジェットヘッドカートリッジ（記録ヘッド）を使用するものにも適用できる。
【符号の説明】
【００５５】
１００    記録ヘッド部（ヘッドカートリッジ）
１０２    インク供給口
１０５    シール接続部材
６１０    メインタンク
６３０    供給チューブ
７０      キャリッジ部
７１０    キャリッジ
７４０    ヘッド固定部
７５０    ヘッドセットレバー
７５５    レバー側リンク連結部
７８０    リンク部材
７８２    連結長穴部
８００    被供給口挿脱部
８１１    ニードルパイプ
８３０    ニードル挿脱レバー
９１０    メインケース
９１１    メインケース開口部
９１２    メインケース開口切り欠き部
９１３    メインケース壁
【図１】
0005822447.tif 000002
【図２】
0005822447.tif 000003
【図３】
0005822447.tif 000004
【図４】
0005822447.tif 000005
【図５】
0005822447.tif 000006
【図６】
0005822447.tif 000007
【図７】
0005822447.tif 000008
【図８】
0005822447.tif 000009
【図９】
0005822447.tif 000010
【図１０】
0005822447.tif 000011
【図１１】
0005822447.tif 000012